(57)【要約】【課題】自動販売機を前方から見た場合に商品サンプルの訴求力を高めることができ、かつ、保守作業を容易に行うことができる商品サンプル展示装置を提供する。【解決手段】商品サンプル展示装置は、自動販売機の前面を閉塞する外扉に形成された商品サンプル室内に設置されるものであって、商品サンプルを保持する上壁(12)と、上壁の前縁部から下方へ延在し下部に係合部(14a)を有する前壁(14)と、を備えるサンプル台(10)と、商品サンプル室の背面に位置する背板(60)に取り付けられ、サンプル台の左右それぞれの端部を支持するブラケット(40)と、を備え、サンプル台及びブラケットは透明な樹脂により形成されている。【選択図】図５
2018073239.tif 000002
【特許請求の範囲】
【請求項１】
自動販売機の前面を閉塞する外扉に形成された商品サンプル室内に設置される商品サンプル展示装置であって、
商品サンプルを保持する上壁と、前記上壁の前縁部から下方へ延在し下部に係合部を有する前壁と、を備えるサンプル台と、
前記商品サンプル室の背面に位置する背板に取り付けられ、前記サンプル台の左右それぞれの端部を支持するブラケットと、を備え、
前記サンプル台及び前記ブラケットは、透明な樹脂により形成されている
ことを特徴とする商品サンプル展示装置。
【請求項２】
自動販売機の前面を閉塞する外扉に形成された商品サンプル室内に設置される商品サンプル展示装置であって、
商品サンプルを保持する上壁と、前記上壁の前縁部から下方へ延在し下部に係合部を有する前壁と、を備えるサンプル台と、
前記商品サンプル室の背面に位置する背板に取り付けられ、前記サンプル台の左右それぞれの端部を支持するブラケットと、を備え、
前記ブラケットは、前記係合部と係合し、前記サンプル台を、少なくとも前記上壁が水平に延在する平置状態、及び、前記上壁が前方へ向け下方に傾斜した傾斜状態の２つの状態で支持し得るように構成された係合溝を備える
ことを特徴とする商品サンプル展示装置。
【請求項３】
前記サンプル台の前記係合部は側面視Ｕ字状に形成されており、当該Ｕ字の前方に位置する壁の上端が前方側に折り返されたのち下方へ延在して係合片を形成しており、
前記ブラケットの前記係合溝は、前部壁と底部壁と後部壁とにより画定され、
前記前部壁は、高さ方向の略中間位置に角部を有し、
前記後部壁の前面には、下方へ向け後方に傾斜された前縁を有する突片が設けられており、
前記サンプル台が前記傾斜状態にあるとき、前記係合部は前記突片の前記前縁に当接し、前記係合片は前記角部に当接する
ことを特徴とする、請求項２に記載の商品サンプル展示装置。
【請求項４】
前記サンプル台は、前記係合部を中心に回動させることにより、前記平置状態と前記傾斜状態との間を移動する
ことを特徴とする、請求項２または３に記載の商品サンプル展示装置。
【請求項５】
前記ブラケットは樹脂により形成されていると共に、その後縁部に係合爪を備え、当該係合爪を前記背板に穿設された穴に挿入し係止させることにより、当該背板に取り付けられる
ことを特徴とする、請求項２乃至４のいずれか１項に記載の商品サンプル展示装置。
【請求項６】
前記樹脂は透明である
ことを特徴とする、請求項２乃至５のいずれか１項に記載の商品サンプル展示装置。
【発明の詳細な説明】
【技術分野】
【０００１】
本発明は、外扉に商品サンプル室を備える自動販売機の商品サンプル展示装置に関する。
【背景技術】
【０００２】
この種の従来の自動販売機においては、本体の前面を閉塞する外扉の上部に商品サンプル室が形成され、この商品サンプル室内に、販売される商品のサンプルを展示している。外扉には、商品サンプル室の前面に透明なウィンド板が取り付けられ、このウィンド板の外面に、商品選択スイッチが取り付けられる。また、商品サンプル室の背面に位置する背板には、商品選択スイッチの後方に対応してサンプル台が取り付けられ、商品サンプルはこのサンプル台に保持される構造とされていた（例えば、特許文献１参照）。  
【先行技術文献】
【特許文献】
【０００３】
【特許文献１】特開２０１４−１１２２９９号公報
【発明の概要】
【発明が解決しようとする課題】
【０００４】
このような自動販売機において、サンプル台を背板により支持する方法として、従来、以下のようなものがあった。
【０００５】
図６は、従来技術による商品サンプル展示装置の、商品サンプル室内における設置態様を示す概略説明図である。
【０００６】
商品サンプル展示装置１０１は、サンプル台１１０と、サンプル台取付板１２０と、スペーサ１２５とから構成されている。
【０００７】
サンプル台取付板１２０は、上部が開放された断面Ｕ字状の部材であり、商品サンプル室の幅方向に延在している。サンプル台取付板１２０は、その両端部及び中間部において、背板１６０にねじ止め固定されたスペーサ１２５により支持されている。
【０００８】
サンプル台１１０は、その前壁１１４の下部に設けられた係合部１１４ａを、サンプル台取付板１２０のＵ字状の凹部に上方から差し込むことにより、サンプル台取付板１２０に取り付けられ、支持される。
【０００９】
なお、図６において、１７０は下方に配置されるサンプル台に保持された商品サンプル等を照明するための照明装置、１７１は照明装置１７０を背板１６０に取り付けるための照明装置用ブラケットである。
【００１０】
このような従来技術による商品サンプル展示装置１０１において、サンプル台１１０は透明な樹脂により形成されているが、サンプル台取付板１２０及びスペーサ１２５は、塗装鋼板等の板金、即ち不透明な材料により形成されている。このうち、特にサンプル台取付板１２０は、商品サンプル室の前面において幅方向に延在しているため、照明装置１７０の光を遮り、暗い影を形成する。そのため、自動販売機を前方から見た場合、不透明な材料により形成されたサンプル台取付板１２０及びスペーサ１２５や、サンプル台取付板１２０により形成される暗い影が相対的に強く視認されてしまい、サンプル台１１０に保持された商品サンプルの訴求力をそぐという問題点があった。
【００１１】
一方、商品サンプルの交換、背板１６０の清掃等の保守作業を行う際には、サンプル台１１０を上方へ押し上げてサンプル台取付板１２０から取り外すか、または、サンプル台１１０を上方へわずかに押し上げてから回動させ、前方へ向け下方に傾斜した状態でサンプル台取付板１２０の上に固定するかのいずれかの方法をとっていた。
【００１２】
いずれの場合にも、サンプル台１１０の下面（商品サンプルが保持される上壁１１２の裏側の面）を上方へ押し上げる必要があるが、サンプル台取付板１２０がサンプル台１１０の前方で全幅に亘って連続して延在しているため、サンプル台１１０の下面にアクセスしにくく、作業性が悪いという問題点があった。
【００１３】
また、作業性の観点からは、サンプル台１１０をサンプル台取付板１２０から取り外すのではなく、前方へ向け下方に傾斜した状態でサンプル台取付板１２０の上に固定しておくことが望ましいが、上記したサンプル台１１０の回動は、前縁部分の変形を伴うものであるため、比較的大きな力を加える必要のある困難な作業であった。また、仮にサンプル台１１０をサンプル台取付板１２０から取り外した状態で背板１６０を清掃する場合であっても、サンプル台取付板１２０が商品サンプル室の幅方向に連続して延在しているため、これが障害となって、その後方にある背板１６０にアクセスしにくく、作業性が悪いという問題点があった。
【００１４】
本発明は、以上のような問題点に鑑みてなされたものであって、自動販売機を前方から見た場合に商品サンプルの訴求力を高めることができ、かつ、保守作業を容易に行うことができる商品サンプル展示装置を提供することを目的とする。
【課題を解決するための手段】
【００１５】
上記課題を解決するために、本発明の商品サンプル展示装置は、自動販売機の前面を閉塞する外扉に形成された商品サンプル室内に設置されるものであって、商品サンプルを保持する上壁と、前記上壁の前縁部から下方へ延在し下部に係合部を有する前壁と、を備えるサンプル台と、前記商品サンプル室の背面に位置する背板に取り付けられ、前記サンプル台の左右それぞれの端部を支持するブラケットと、を備え、前記サンプル台及び前記ブラケットは、透明な樹脂により形成されていることを特徴とする。
【００１６】
また、上記課題を解決するために、本発明の商品サンプル展示装置は、自動販売機の前面を閉塞する外扉に形成された商品サンプル室内に設置されるものであって、商品サンプルを保持する上壁と、前記上壁の前縁部から下方へ延在し下部に係合部を有する前壁と、を備えるサンプル台と、前記商品サンプル室の背面に位置する背板に取り付けられ、前記サンプル台の左右それぞれの端部を支持するブラケットと、を備え、前記ブラケットは、前記係合部と係合し、前記サンプル台を、少なくとも前記上壁が水平に延在する平置状態、及び、前記上壁が前方へ向け下方に傾斜した傾斜状態の２つの状態で支持し得るように構成された係合溝を備えることを特徴とする。
【００１７】
好ましくは、前記サンプル台の前記係合部は側面視Ｕ字状に形成されており、当該Ｕ字の前方に位置する壁の上端が前方側に折り返されたのち下方へ延在して係合片を形成しており、前記ブラケットの前記係合溝は、前部壁と底部壁と後部壁とにより画定され、前記前部壁は、高さ方向の略中間位置に角部を有し、前記後部壁の前面には、下方へ向け後方に傾斜された前縁を有する突片が設けられており、前記サンプル台が前記傾斜状態にあるとき、前記係合部は前記突片の前記前縁に当接し、前記係合片は前記角部に当接するとよい。
【００１８】
好ましくは、前記サンプル台は、前記係合部を中心に回動させることにより、前記平置状態と前記傾斜状態との間を移動するとよい。
【００１９】
好ましくは、前記ブラケットは樹脂により形成されていると共に、その後縁部に係合爪を備え、当該係合爪を前記背板に穿設された穴に挿入し係止させることにより、当該背板に取り付けられるとよい。
【００２０】
好ましくは、前記樹脂は透明であるとよい。
【発明の効果】
【００２１】
本発明の商品サンプル展示装置においては、サンプル台及びブラケットが透明な樹脂により形成されているので、自動販売機を前方から見た場合、これらの部材は視認されにくく、サンプル台に保持された商品サンプルの訴求力を高めることができる。また、サンプル台が、その両端部のみにおいてブラケットにより支持されるように構成されているので、商品サンプル室内のサンプル等を照明する照明装置の光が遮られて暗い影が形成されることがなく、自動販売機を前方から見た場合、サンプル台に保持された商品サンプルの訴求力を高めることができる。また、ブラケットが、サンプル台を少なくとも平置状態及び傾斜状態の２つの状態において保持し得るように構成されているので、商品サンプルの交換、背板の清掃等の保守作業を行う際、サンプル台をブラケットから取り外すことなくブラケットの上に保持しておけるうえ、隣接するブラケットの間には、自動販売機の幅方向に連続して延在する部材が存在しないため、サンプル台の下面にアクセスし易く、作業性を向上させることができる。さらに、サンプル台の支持部材であるブラケットが樹脂により形成されているので、従来技術においては必要であった複雑な板金加工や固定用ネジが一切不要となり、製造コストを大幅に低減することができる。
【図面の簡単な説明】
【００２２】
【図１】本発明の商品サンプル展示装置の全体構成を示す斜視図である。
【図２】本発明の商品サンプル展示装置の、商品サンプル室内における設置態様を示す概略説明図である。
【図３】本発明の商品サンプル展示装置における左端部ブラケット及び右端部ブラケットの斜視図である。
【図４】本発明の商品サンプル展示装置における中間部ブラケットの斜視図である。
【図５】（Ａ）は、図１におけるＡ−Ａ断面矢視図であり、サンプル台が水平に支持されている状態を示している。（Ｂ）は、サンプル台が傾斜して支持されている状態を示す、同様の矢視図である。
【図６】従来技術による商品サンプル展示装置の、商品サンプル室内における設置態様を示す概略説明図である。
【発明を実施するための形態】
【００２３】
以下、本発明の実施形態について、図面を参照して詳細に説明する。
【００２４】
図１は、本発明の商品サンプル展示装置の全体構成を示す斜視図、図２は、本発明の商品サンプル展示装置の、商品サンプル室内における設置態様を示す概略説明図である。なお、図２は、説明の都合上、商品サンプル室内の向かって最も左側に設置されるサンプル台のみを、当該サンプル台を支持するブラケットから取り外した状態で示している。
【００２５】
図１に示すように、商品サンプル展示装置１は、サンプル台１０とブラケット２０とから構成されている。
【００２６】
図示の実施例においては、２個のサンプル台１０が並べて配置され、左端部ブラケット３０及び右端部ブラケット５０、並びに、中間部ブラケット４０の合計３種類のブラケット２０が用いられている。このうち、左端部ブラケット３０、右端部ブラケット５０は、２個のサンプル台１０から成るサンプル台列の向かって左端部、右端部をそれぞれ支持し、中間部ブラケット４０は、サンプル台列の中間部、すなわち、隣接するサンプル台１０の対向する端部を支持している。
【００２７】
なお、サンプル台１０は３個以上並べて配置してもよく、この場合には、サンプル台１０の個数に応じて２個以上の中間部ブラケット４０を用いることになる。
【００２８】
上記のように構成された商品サンプル展示装置１は、自動販売機の前面を閉塞する外扉に形成された商品サンプル室内において、図２に示す態様で設置される。すなわち、ブラケット２０（左端部ブラケット３０及び中間部ブラケット４０）が、後述する方法により商品サンプル室の背面に位置する背板６０に取り付けられ、その上にサンプル台１０が支持される。
【００２９】
なお、図２において、７０は下方に配置されるサンプル台１０に保持された商品サンプル等を照明するためのＬＥＤ等を用いた照明装置、７１は照明装置７０を背板６０に取り付けるための照明装置用ブラケットである。
【００３０】
同図に示すように、商品サンプル展示装置１においては、サンプル台１０が、その両端部のみにおいてブラケット２０（左端部ブラケット３０及び中間部ブラケット４０）により支持されるように構成されているので、商品サンプル室内のサンプル等を照明する照明装置７０の光が遮られることがなく、自動販売機を前方から見た場合の美観を向上させることができる。
【００３１】
サンプル台１０は、商品サンプルを保持するための部材であり、透明な樹脂により形成され、後述する平置状態において水平に延在する上壁１２と、同じく垂直に延在する前壁１４及び左右の側壁１６と、を備えている。
【００３２】
上壁１２には、半切り状の透光性商品サンプル（図示せず）を保持するための保持孔１２ａや、その前側でこれも透光性ダミーカード（図示せず）を保持するための半円形有底スリット１２ｂが、商品サンプルの個数に応じて複数形成されている。更に、保持孔１２ａの後側にも、同様のダミーカード（図示せず）を保持するためのスリット１２ｃが形成されている。
【００３３】
なお、図１及び図２において、サンプル台１０は、それぞれ４個の商品サンプル等を保持し得るものとして示されているが、保持孔１２ａや半円形有底スリット１２ｂの個数を適宜増減することにより、任意の個数の商品サンプル等を保持し得るものとして構成できることは言うまでもない。
【００３４】
前壁１４は、上壁１２の前縁部から下方へ延在しており、その下端部は、サンプル台１０の左右両端部において、図５に示すように、前方側に折り返されて断面Ｕ字状の係合部１４ａを形成している。また、当該係合部１４ａの前方壁は、前壁１４の略半分の高さ位置において前方側に折り返されたのち下方へ延在し、係合片１４ｂを形成している。
【００３５】
ブラケット２０は、商品サンプル室の背面に位置する背板６０に取り付けられ、サンプル台１０の左右それぞれの端部を支持する部材である。ブラケット２０には、上述したように、左端部ブラケット３０及び右端部ブラケット５０、並びに、中間部ブラケット４０の合計３種類がある。
【００３６】
ブラケット２０（左端部ブラケット３０、中間部ブラケット４０及び右端部ブラケット５０）は、いずれも樹脂により形成されている。ブラケット２０が樹脂により形成されていることにより、従来技術においては必要であった複雑な板金加工や固定用ネジが一切不要となり、製造コストを大幅に低減することができる。
【００３７】
また、ブラケット２０を形成する樹脂は、透明であることが好ましい。これにより、左端部ブラケット３０及び右端部ブラケット５０は、特に斜め前方から側面を見た場合に、また、中間部ブラケット４０は、前方及び斜め前方から見た場合に、それぞれ、光を透過するため、サンプル台１０に保持された商品サンプルが浮遊しているような印象を与えることができる。
【００３８】
以下、各ブラケットの形状について、図面を参照しながら詳細に説明する。
【００３９】
図３は、左端部ブラケット３０及び右端部ブラケット５０の斜視図である。
【００４０】
図示のように、左端部ブラケット３０と右端部ブラケット５０とは、左右対称に形成されている。そこで、以下においては、右端部ブラケット５０に関する説明を括弧内に併記することにより、重複する説明を省略する。
【００４１】
左端部ブラケット３０（右端部ブラケット５０）は、スペーサ部３１（５１）と、サンプル台係合部３２（５２）と、側壁３３（５３）とを一体にした形状を有している。
【００４２】
スペーサ部３１（５１）は、左端部ブラケット３０（右端部ブラケット５０）の後方（背板６０側）の部分であり、前方へ向け下方に傾斜した斜面３１ａ（５１ａ）を有している。
【００４３】
斜面３１ａ（５１ａ）には、その前縁部における側壁３３（５３）寄りの部位において上方へ突出する平面視略Ｌ字状の第１上方突片３１ｂ（５１ｂ）と、前後方向中央部における側壁３３（５３）寄りの部位において上方へ突出する平板状の第２上方突片３１ｃ（５１ｃ）とが形成されている。
【００４４】
また、斜面３１ａ（５１ａ）の後縁部には、背板６０の厚さよりも長く後方へ突出した部分と、当該部分の先端から上方へ延在する部分とから成る２個の係合爪３１ｄ（５１ｄ）が、間隔をあけて設けられている。
【００４５】
サンプル台係合部３２（５２）は、左端部ブラケット３０（右端部ブラケット５０）の前方の部分であり、前部壁３２ａ（５２ａ）と、底部壁３２ｂ（５２ｂ（図示せず））と、後部壁３２ｃ（５２ｃ）とが側面視Ｕ字状に配置され、スペーサ部３１（５１）の斜面３１ａ（５１ａ）よりも下方において、係合溝３２ｄ（５２ｄ）を画定している。また、サンプル台係合部３２（５２）の、側壁３３（５３）とは反対側の端部には、端部壁３２ｋ（５２ｋ）が形成されている。
【００４６】
前部壁３２ａ（５２ａ）は、底部壁３２ｂ（５２ｂ）の前端から上方へ延在している。前部壁３２ａ（５２ａ）は、上部よりも下部が厚く形成されており、上部から下部への移行部には、角部３２ｅ（５２ｅ（図示せず））が形成されている。
【００４７】
端部壁３２ｋ（５２ｋ）は、底部壁３２ｂ（５２ｂ（図示せず））及び後部壁３２ｃ（５２ｃ）の、側壁３３（５３）とは反対側の端部を接続するような態様で、係合溝３２ｄ（５２ｄ）の内方へ突出している。また、端部壁３２ｋ（５２ｋ）の下部には、前方へ向け下方に傾斜した斜面３２ｋａ（５２ｋａ（図示せず））が形成されている。
【００４８】
後部壁３２ｃ（５２ｃ）は、底部壁３２ｂ（５２ｂ）の後端から上方へ斜面３１ａ（５１ａ）まで延在している。後部壁３２ｃ（５２ｃ）の前側（係合溝３２ｄ（５２ｄ）側）には、第１前方突片３２ｆ（５２ｆ）、第２前方突片３２ｇ（５２ｇ）及びリブ３２ｈ（５２ｈ）が形成されている。
【００４９】
第１前方突片３２ｆ（５２ｆ）は、斜面３１ａ（５１ａ）よりも下方において後部壁３２ｃ（５２ｃ）から前方へ突出しており、上部は側面視矩形状、下部は側面視直角三角形状に形成されている。当該下部の前縁３２ｆａ（５２ｆａ）は、側面視における直角三角形の斜辺を形成しており、下方へ向け後方に傾斜している。
【００５０】
第２前方突片３２ｇ（５２ｇ）は、斜面３１ａ（５１ａ）よりも下方において後部壁３２ｃ（５２ｃ）から前方へ突出しており、その中央部、下部は、第１前方突片３２ｆ（５２ｆ）と同様に、側面視で、それぞれ矩形状、直角三角形状に形成されている。第２前方突片３２ｇ（５２ｇ）の下部の前縁３２ｇａ（５２ｇａ（図示せず））は、側面視における直角三角形の斜辺を形成しており、下方へ向け後方に傾斜している。また、第２前方突片３２ｇ（５２ｇ）は、その中央部から斜面３１ａ（５１ａ）よりも上方へ突出する上方延長部３２ｇｂ（５２ｇｂ）を備えている。当該上方延長部３２ｇｂ（５２ｇｂ）は、第１上方突片３１ｂ（５１ｂ）のうち前後方向に延在する部分と同一平面内を延在しているが、当該部分よりも高い位置、具体的には第２上方突片３１ｃ（５１ｃ）の頂部と略同一の高さまで延在している。
【００５１】
リブ３２ｈ（５２ｈ）は、第１前方突片３２ｆ（５２ｆ）と第２前方突片３２ｇ（５２ｇ）の間に位置しており、斜面３１ａ（５１ａ）よりも下方において後部壁３２ｃ（５２ｃ）から前方へ突出しているが、その突出量は、最下部を除いて、第１前方突片３２ｆ（５２ｆ）及び第２前方突片３２ｇ（５２ｇ）の突出量よりも小さくされている。また、リブ３２ｈ（５２ｈ）の下部の形状は、端部壁３２ｋ（５２ｋ）の下部の形状と同一とされており、前方へ向け下方に傾斜した斜面３２ｈａ（５２ｈａ）（いずれも図示せず）を備えている。
【００５２】
側壁３３（５３）は、スペーサ部３１（５１）及びサンプル台係合部３２（５２）の左側面（右側面）の全体を覆うように形成されている。側壁３３（５３）の後縁部の下部には、背板６０の厚さよりも長く後方へ突出した部分と、当該部分の先端から左方（右方）へ延在する部分とから成る係合爪３３ａ（図示せず）（５３ａ）が設けられている。
【００５３】
図４は、中間部ブラケット４０の斜視図である。
【００５４】
中間部ブラケット４０の要部は、左端部ブラケット３０及び右端部ブラケット５０を側壁３３と側壁５３が対向する状態に配置し、当該側壁３３及び側壁５３を取り除いたうえで接合した場合の形状と実質的に同一である。
【００５５】
ただし、スペーサ部４１の斜面４１ａの後縁部には、係合爪４１ｄが１個だけ設けられている。また、後方下部には、右側壁４３Ｒ及び左側壁４３Ｌ（図示せず）が設けられており、その後縁部の下部には、それぞれ右側係合爪４３ａＲ及び左側係合爪４３ａＬ（図示せず）が設けられている。さらに、スペーサ部４１の斜面４１ａは、右側第１上方突片４１ｂＲ及び左側第１上方突片４１ｂＬのうち左右方向に延在する部分の右端部（左端部）より右方（左方）において、右下方（左下方）へ傾斜する別の斜面によって置き換えられており、当該別の斜面は、それぞれ右側壁４３Ｒ、左側壁４３Ｌ（図示せず）まで延在している。
【００５６】
以上のように構成されたブラケット２０は、その後部に形成された係合爪を背板６０に穿設された穴に挿入し係止させることにより、背板６０に固定される（図５参照）。すなわち、左端部ブラケット３０については係合爪３１ｄ、３３ａ（図示せず）が、右端部ブラケット５０については係合爪５１ｄ、５３ａが、中間部ブラケット４０については係合爪４１ｄ、４３ａＲ、４３ａＬ（図示せず）が、それぞれ、これらのブラケットを背板６０に固定するために用いられる。
【００５７】
次に、商品サンプル展示装置１における、ブラケット２０によるサンプル台１０の支持態様について、図５を参照して説明する。
【００５８】
図５の（Ａ）は、図１におけるＡ−Ａ断面矢視図であり、サンプル台１０が水平に支持されている状態を示している。また、同図の（Ｂ）は、サンプル台１０が傾斜して支持されている状態を示す、同様の矢視図である。なお、図５は、サンプル台１０が中間部ブラケット４０により支持されている断面を示しているが、左端部ブラケット３０及び右端部ブラケット５０のそれぞれによるサンプル台１０の支持態様も、同図に示したものと同様である。
【００５９】
図５の（Ａ）に示された状態（平置状態）は、通常の状態であり、商品サンプルが保持されるサンプル台１０の上壁１２が水平になっている。
【００６０】
この状態において、サンプル台１０の上壁１２は、右側第２前方突片４２ｇＲの上方延長部４２ｇｂＲ及び右側第２上方突片４１ｃＲの頂部の上に載置されている。このとき、サンプル台１０の側壁１６は、右側第１上方突片４１ｂＲ及び右側第２上方突片４１ｃＲよりも左側第１上方突片４１ｂＬ及び左側第２上方突片４１ｃＬに近い側に位置している。換言すれば、右側第１上方突片４１ｂＲ及び右側第２上方突片４１ｃＲは、サンプル台１０の側壁１６の内面側に位置している。これにより、右側第１上方突片４１ｂＲ及び右側第２上方突片４１ｃＲは、サンプル台１０が右方へ偏移したときに側壁１６の内面と当接し、サンプル台１０の右方へのさらなる偏移を規制する。
【００６１】
なお、平置状態において、サンプル台１０の係合部１４ａ及び係合片１４ｂは、中間部ブラケット４０の係合溝４２ｄ内に収容されている。
【００６２】
図５の（Ｂ）に示された状態（傾斜状態）は、商品サンプルの交換、背板の清掃等の保守作業を行うための状態であり、サンプル台１０全体が平置状態から係合部１４ａを中心に前方へ回動され、商品サンプルが保持されるサンプル台１０の上壁１２は、前方へ向け下方に傾斜している。
【００６３】
この状態において、サンプル台１０の係合部１４ａの後面は、中間部ブラケット４０の右側第１前方突片４２ｆＲの前縁４２ｆａＲ及び右側第２前方突片４２ｇＲの前縁４２ｇａＲに当接すると共に、係合片１４ｂの前面は、中間部ブラケット４０の前部壁４２ａの角部４２ｅに当接している。また、サンプル台１０を、図５の（Ｂ）に示された状態から更に斜め下方へ押し込むことにより、係合部１４ａの底部が、中間部ブラケット４０の端部壁４２ｋＲの斜面４２ｋａＲに当接し、位置決めがなされるようになっている。このとき、図５の（Ｂ）には示されていないが、サンプル台１０の係合部１４ａの底部は、中間部ブラケット４０のリブ４２ｈＲの斜面４２ｈａＲ（図示せず）にも当接している。
【００６４】
ここで、単品状態におけるサンプル台１０の係合片１４ｂの前面と係合部１４ａの後面との距離をＬ１、中間部ブラケット４０の右側第１前方突片４２ｆＲの前縁４２ｆａＲ及び右側第２前方突片４２ｇＲの前縁４２ｇａＲと前部壁４２ａの角部４２ｅとの距離をＬ２とすると、Ｌ１＞Ｌ２の関係が成り立つ。すなわち、傾斜状態において、サンプル台１０の係合部１４ａ及び係合片１４ｂは、全体として厚さが縮小する方向へ変形させられた状態で、中間部ブラケット４０の右側第１前方突片４２ｆＲの前縁４２ｆａＲ及び右側第２前方突片４２ｇＲの前縁４２ｇａＲと前部壁４２ａの角部４２ｅとの間に収容されている。そのため、サンプル台１０を傾斜状態において強固に保持することができ、保守作業中に作業員の手が触れるなどした場合であっても、傾斜状態が容易に解除されてしまうことを防止することができる。
【００６５】
サンプル台１０を、図５の（Ａ）に示された平置状態から、図５の（Ｂ）に示された傾斜状態に移行させるためには、サンプル台１０を上方へわずかに押し上げた状態で係合部１４ａを中心に前方へ回動させた後、係合部１４ａを中間部ブラケット４０の右側第１前方突片４２ｆＲの前縁４２ｆａＲ及び右側第２前方突片４２ｇＲの前縁４２ｇａＲに沿って係合溝４２ｄに差し込めばよい。
【００６６】
なお、左端部ブラケット３０の斜面３２ｋａ，３２ｈａ、右端部ブラケット５０の斜面５２ｋａ，５２ｈａ、並びに、中間部ブラケット４０の斜面４２ｋａＲ，４２ｈａＲ及び斜面４２ｋａＬ，４２ｈａＬ（図示せず）のそれぞれに、サンプル台１０の係合部１４ａの後側の角部が入り込む凹所を階段状に設けることにより、上述した平置状態及び傾斜状態の２つの状態以外の複数の状態で、サンプル台１０を支持し得るように構成しても良い。
【００６７】
これにより、サンプル台１０を、平置状態よりも少し前方へ向け下方に傾斜した状態でも支持することができ、商品サンプルが飛び出すような印象を与えたり、例えば年少者など背の低い購入者が多い場所に設置される自動販売機にあっては、商品サンプルを購入者の視線に合うように展示したりして、商品サンプルの訴求力を高めることができる。
【００６８】
以上のように構成された商品サンプル展示装置によれば、サンプル台及びブラケットが透明な樹脂により形成されているので、自動販売機を前方から見た場合、これらの部材は視認されにくく、サンプル台に保持された商品サンプルの訴求力を高めることができる。また、サンプル台が、その両端部のみにおいてブラケットにより支持されるように構成されているので、商品サンプル室内のサンプル等を照明する照明装置の光が遮られて暗い影が形成されることがなく、自動販売機を前方から見た場合、サンプル台に保持された商品サンプルの訴求力を高めることができる。また、ブラケットが、サンプル台を少なくとも平置状態及び傾斜状態の２つの状態において保持し得るように構成されているので、商品サンプルの交換、背板の清掃等の保守作業を行う際、サンプル台をブラケットから取り外すことなくブラケットの上に保持しておけるうえ、隣接するブラケットの間には、自動販売機の幅方向に連続して延在する部材が存在しないため、サンプル台の下面にアクセスし易く、作業性を向上させることができる。さらに、サンプル台の支持部材であるブラケットが樹脂により形成されているので、従来技術においては必要であった複雑な板金加工や固定用ネジが一切不要となり、製造コストを大幅に低減することができる。
【符号の説明】
【００６９】
１        商品サンプル展示装置            
１０      サンプル台        
１２      上壁       
１４      前壁       
１４ａ    係合部     
１４ｂ    係合片     
２０      ブラケット        
３０      左端部ブラケット（ブラケット）         
３１ｄ    係合爪     
３２ａ    前部壁     
３２ｂ    底部壁     
３２ｃ    後部壁     
３２ｄ    係合溝     
３２ｅ    角部
３２ｆ    第１前方突片（突片）     
３２ｇ    第２前方突片（突片）
３３ａ    係合爪     
４０      中間部ブラケット（ブラケット）         
４１ｄ    係合爪     
４２ｄ    係合溝     
４２ｅ    角部
４２ｆＲ  右側第１前方突片（突片） 
４２ｇＲ  右側第２前方突片（突片） 
４３ａＲ  右側係合爪 
４３ａＬ  左側係合爪 
５０      右端部ブラケット（ブラケット）         
５１ｄ    係合爪     
５２ａ   前部壁      
５２ｂ   底部壁      
５２ｃ   後部壁      
５２ｄ   係合溝      
５２ｅ   角部 
５２ｆ   第１前方突片（突片）      
５２ｇ   第２前方突片（突片）      
５３ａ   係合爪      
６０     背板
【図１】
2018073239.tif 000003
【図２】
2018073239.tif 000004
【図３】
2018073239.tif 000005
【図４】
2018073239.tif 000006
【図５】
2018073239.tif 000007
【図６】
2018073239.tif 000008